(57)【要約】【課題】濁水等を攪拌する攪拌装置において、攪拌力を低下させずに渦巻きの発生を抑制し、騒音を低減する。【解決手段】攪拌槽１内の溶液を攪拌子２を回転させて攪拌する攪拌装置である。攪拌槽１内の溶液に浮遊する浮体物６を設ける。攪拌槽１内の溶液に浮遊する浮体物６が液面にできる渦巻きの中心にできる空気の通り道を閉塞して、溶液の上部の空気が回転する攪拌子２に吸引されることで発生する騒音を低減することができる。【選択図】        図１
2004249217.tif 000002
【特許請求の範囲】
【請求項１】
攪拌槽内の溶液を攪拌子を回転させて攪拌する攪拌装置において、
前記溶液に浮遊する浮体物を設けたことを特徴とする攪拌装置。
【請求項２】
前記浮体物はボールであることを特徴とする請求項１に記載の攪拌装置。
【請求項３】
前記攪拌子を備えた回転軸の周囲に放射状に突出する複数の針状物または帯状物を設けたことを特徴とする請求項１または２に記載の攪拌装置。
【請求項４】
前記複数の針状物または帯状物の長さは前記攪拌子の方向に行くにしたがって短くなることを特徴とする請求項３に記載の攪拌装置。
【発明の詳細な説明】
【０００１】
【発明の属する技術分野】
本発明は、攪拌装置に関する。
【０００２】
【従来の技術】
濁水を浄化処理する設備において、濁水に中和剤を混合して攪拌することにより浄化する中和槽がある。
【０００３】
図４に示すように、中和槽は、濁水と中和剤とを混合する攪拌槽１と、攪拌槽内部の濁水を攪拌する攪拌子２と、回転軸３を介して攪拌子２を回転させるモーター４とからなる。濁水と中和剤とを混合し攪拌することで濁水を浄化処理している。
【０００４】
ところで濁水を浄化処理する時に、攪拌槽内に渦巻きが生じ、渦巻きの中心に空気の通り道ができて溶液の上部の空気が回転する攪拌子に吸引されることがあり、騒音の原因となっている。特に夜間は周囲の地元住民への影響があるため、騒音を防ぐ必要があった。
騒音を防ぐためには、攪拌子の回転を抑えて渦巻きの発生を抑えたり、攪拌槽全体に鉄板等で蓋をして騒音を低減したりする必要があった。
【０００５】
渦巻きの発生を阻止する方法としては、水中攪拌器のケーシングに複数のガイド板を設けて、渦巻きの回転方向への攪拌槽内の溶液の流速を抑える方法もあった（例えば、特許文献１参照。）。
【０００６】
【特許文献１】
特開平１１−３４２４００号公報（第１図）
【０００７】
【発明が解決しようとする課題】
しかし、特許文献１の方法では、渦の円周方向の流速成分をガイド板で消去するため、ガイド板が設けられたケーシングに大きな負荷がかかるという問題があった。また回転軸と攪拌子のみを液中に挿入する攪拌装置にはこの方法は適用することができない。
【０００８】
本発明の課題は、濁水等を攪拌する攪拌装置において、攪拌力を低下させずに渦巻きの発生を抑制し、騒音を低減することである。
【０００９】
【課題を解決するための手段】
以上の課題を解決するため、請求項１に記載の発明は、例えば、図１に示すように、攪拌槽（１）内の溶液を攪拌子（２）を回転させて攪拌する攪拌装置において、前記溶液に浮遊する浮体物（ボール６）を設けたことを特徴とする。
【００１０】
請求項１に記載の発明によれば、攪拌槽１内の溶液に浮遊する浮体物６が渦巻きの中心にできる空気の通り道を閉塞するので、溶液の上部の空気が回転する攪拌子２に吸引されることで発生する騒音を低減することができる。
【００１１】
請求項２に記載の発明は、請求項１に記載の攪拌装置であって、例えば、図１に示すように、前記浮体物６はボールであることを特徴とする。
【００１２】
請求項２に記載の発明によれば、前記浮体物６はボールなので、渦巻きの中心にできる円錐状の空気の通り道をより効率よく閉塞することができる。
【００１３】
請求項３に記載の発明は、請求項１または２に記載の攪拌装置であって、例えば、図２または図３に示すように、前記攪拌子２を備えた回転軸３の周囲に放射状に突出する複数の針状物（ブラシ毛７）または帯状物（吹き流し８）を設けたことを特徴とする。
【００１４】
請求項３に記載の発明によれば、前記回転軸３の周囲に放射状に突出する複数の針状物７または帯状物８を設けたので、針状物７または帯状物８が回転軸３付近の溶液の流れをかき乱すことで渦巻きの発生を抑え、回転する攪拌子２に攪拌槽１上部の空気が吸引されることを防ぐことができる。
【００１５】
請求項４に記載の発明は、請求項３に記載の攪拌装置であって、前記複数の針状物７または帯状物８の長さは前記攪拌子２の方向に行くにしたがって短くなることを特徴とする。
【００１６】
請求項４に記載の発明によれば、前記複数の針状物７または帯状物８の長さは前記攪拌子２の方向に行くにしたがって短くなるので、針状物７または帯状物８の長さが下に行くにしたがって小さくなる渦巻きの半径と適合し、効率よく渦巻きの発生を抑えることができる。
【００１７】
【発明の実施の形態】
以下、図を参照して本発明の実施の形態を詳細に説明する。
〔第１の実施の形態〕
図１に示すように、本発明の第１の実施の形態の攪拌装置は、攪拌槽１、攪拌子２、回転軸３、モーター４、蓋５、ボール６（浮体物）とから概略構成される。
【００１８】
攪拌槽１は、濁水や中和剤等の溶液が入れられる容器である。攪拌槽１の内部には、モーター４により回転させられて攪拌槽１内の溶液を攪拌する攪拌子２がある。
攪拌子２はモーター４の回転を伝える回転軸３の先端に取り付けられている。
回転軸３はモーター４の回転を攪拌子２に伝達する棒状の部材である。
モーター４は回転軸３を介して攪拌子２を回転させて攪拌槽１内の溶液を攪拌する。
【００１９】
蓋５は攪拌槽１の開口を密閉する鉄板等の板状物である。また蓋５は攪拌装置の駆動時に発生する騒音を防ぐ働きをする。
ボール６は攪拌槽１内の溶液に浮かぶ物体である。ボール６の半径は溶液を攪拌する際に発生する渦巻きの半径と同程度あるいはそれよりも大きいことが好ましい。
【００２０】
次に、本発明の第１の実施の形態の攪拌装置が溶液の攪拌する際に、渦巻きの発生を抑えて騒音を低減する様子について説明する。
まず攪拌槽１の内部に濁水や中和剤等の溶液を入れる。次に、回転軸３の先端に取り付けられた攪拌子２を、攪拌槽１内の溶液に挿入する。
攪拌槽１にボール６を入れ、溶液に浮かべる。攪拌槽１の開口を蓋５で密閉し、攪拌装置の運転を開始する。
【００２１】
モーター４を回転させ、回転軸３を介して攪拌子２を回転させると、溶液が攪拌される。このとき、回転軸３近傍の液面に渦巻きが発生すると、渦巻きの中心部分は液面が下がっているので、ボール６が液面上を移動して渦巻きの中心にできる空気の通り道を閉塞する。したがって、溶液の上部の空気が回転する攪拌子２に吸引されることを防ぐことができ、騒音の発生を低減することができる。
【００２２】
〔第２の実施の形態〕
次に、本発明の第２の実施の形態について詳細に説明する。図２に示すように、本発明の第２の実施の形態の攪拌装置は、攪拌槽１、攪拌子２、モーター４、蓋５、ボール６等については第１の実施の形態と同様であるが、回転軸３の形態が異なっている。第２の実施の形態の攪拌装置の回転軸３には、軸に対して垂直方向に放射状に突出する複数のブラシ毛７（針状物）が設けられている。
ブラシ毛７の長さは、攪拌子２の方向に行くにしたがって短くなっている。
【００２３】
次に、本発明の第２の実施の形態の攪拌装置が溶液を攪拌する際に、渦巻きの発生を抑えて騒音を低減する様子について説明する。
第１の実施の形態と同様にモーター４を回転させ、回転軸３を介して攪拌子２を回転させると、溶液が攪拌される。
このとき、回転軸３に設けられた複数のブラシ毛７も回転軸３とともに回転し、ブラシ毛７が回転軸３付近の溶液の流れをかき乱すことで渦巻きの発生を抑制することができる。
【００２４】
また、ブラシ毛７はモーター４から前記攪拌子２の方向に行くにしたがって短くなっているので、下に行くにしたがって小さくなる渦巻きの半径と適合してより効率よく渦巻きの発生を抑えることができる。
したがって、第２の実施の形態では、ボール６が液面上を移動して渦巻きの中心部分を閉塞し、溶液の上部の空気が回転する攪拌子に吸引されることを防ぐとともに、ブラシ毛７によって渦巻きの発生を抑えることができ、騒音の発生をさらに低減することができる。
【００２５】
あるいは、ブラシ毛７の代わりに、図３に示すように、攪拌子２の方向に行くにしたがって短くなっている吹流し８（帯状物）を設けてもよい。吹流し８を設けた場合もブラシ毛７を設けた場合と同様に、回転軸３付近の溶液の流れをかき乱すことで渦巻きの発生を抑制することができる。
【００２６】
なお、以上の実施の形態においては、浮体物をボールとしたが、本発明はこれに限定されるものではない。
また、回転軸３に設けられる針状物や帯状物等も任意であり、その他、具体的な細部構造等についても適宜に変更可能であることは勿論である。
【００２７】
【発明の効果】
請求項１に記載の発明によれば、攪拌槽内の溶液に浮遊する浮体物が渦巻きの中心にできる空気の通り道を閉塞するので、溶液の上部の空気が回転する攪拌子２に吸引されることで発生する騒音を低減することができる。
【００２８】
請求項２に記載の発明によれば、請求項１と同様の効果が得られるとともに、前記浮体物はボールなので、渦巻きの中心にできる円錐状の空気の通り道をより効率よく閉塞することができる。
【００２９】
請求項３に記載の発明によれば、請求項１または２に記載の発明と同様の効果が得られるとともに、針状物または帯状物が回転軸付近の溶液の流れをかき乱すことで渦巻きの発生を抑え、回転する攪拌子に溶液の上部の空気が吸引されることを防ぐことができる。
【００３０】
請求項４に記載の発明によれば、請求項３に記載の発明と同様の効果が得られるとともに、針状物または帯状物の長さが下に行くにしたがって小さくなる渦巻きの半径と適合し、効率よく渦巻きの発生を抑えることができる。
【図面の簡単な説明】
【図１】本発明の攪拌装置の第１の実施の形態を示す概略図である。
【図２】本発明の攪拌装置の第２の実施の形態を示す概略図である。
【図３】第２の実施の形態の他の例を示す概略図である。
【図４】従来の攪拌装置を示す概略図である。
【符号の説明】
１        攪拌槽
２        攪拌子
３        回転軸
４        モーター
５        蓋
６        ボール（浮体物）
７        ブラシ毛（針状物）
８        吹き流し（帯状物）
【図１】
2004249217.tif 000003
【図２】
2004249217.tif 000004
【図３】
2004249217.tif 000005
【図４】
2004249217.tif 000006